(57)【要約】【課題】カード挿入口を開閉するシャッタの駆動機構が少ない部品点数でコンパクトに構成されたカードリーダライタを提案すること。【解決手段】カードリーダライタ１００では、カード挿入口１０４からＩＣカード１１０が挿入されると、これと共にカードホルダ１２０が後方に移動し、カードホルダ１２０に形成したカム溝１４４も移動する。カード挿入口１０４近傍に配置したシャッタ１４０のスライドピン１４３はカム溝１４４にスライド可能に差し込まれており、カードホルダ１２０の後退に連動してカム溝１４４によって押される。これにより、シャッタ１４０が移動して、カード挿入口１０４を封鎖する。カードホルダ１２０を前方に戻すと、シャッタ１４０が退避してカード挿入口１０４が開き、ＩＣカード１１０が排出される。【選択図】図７
2007080101.tif 000002
【特許請求の範囲】
【請求項１】
カード型記憶媒体を挿入するためのカード挿入口と、
前記カード挿入口に接近した前端位置および当該カード挿入口から離れた後端位置の間をスライド可能なカードホルダと、
前記カード挿入口を封鎖した封鎖位置および当該カード挿入口から退避した退避位置の間を移動可能なシャッタと、
前記カードホルダの前記後端位置へのスライドに連動させて前記シャッタを前記封鎖位置に移動させ、前記カードホルダの前記前端位置へのスライドに連動させて前記シャッタを前記退避位置に移動させるカム機構とを有し、
前記カードホルダは前記挿入口から挿入されるカード型記憶媒体に押されて前記後端位置まで移動するようになっていることを特徴とするカードリーダライタ。
【請求項２】
請求項１において、
前記カム機構は、前記カードホルダに形成したカム溝と、当該カム溝に沿ってスライド可能な状態で差し込まれている前記シャッタに形成したカムフォロワとを備えていることを特徴とするカードリーダライタ。
【請求項３】
請求項１または２のうちのいずれかの項において、
挿入されたカード状記憶媒体の外周端面部分に面接触状態で当接可能なカード押し付け面を備え、当該カード押し付け面が平行移動するように支持されているカードストッパと、
前記カード押し付け面にカード押し付け力を付与しているストッパ付勢部材とを有していることを特徴とするカードリーダライタ。
【請求項４】
請求項１ないし３のうちのいずれかの項において、
前記カードホルダを前記前端位置に向けて付勢しているホルダ付勢部材と、
前記カードホルダを前記後端位置にロックするためのホルダロック部材と、
前記ホルダロック部材をロック位置およびロック解除位置に移動する駆動機構とを有していることを特徴とするカードリーダライタ。
【発明の詳細な説明】
【技術分野】
【０００１】
本発明は、遊技媒体の貸し出し処理をカード状記憶媒体を用いたプリペイド方式により行う場合などに用いられるカードリーダライタに関するものである。
【背景技術】
【０００２】
ＩＣメモリチップが内蔵されたＩＣカードを用いてプリペイド方式により遊技媒体の貸し出し処理を行うことのできる遊技台用台間機が知られている。かかる遊技台用台間機では、ＩＣカードに対して情報の読み書き処理を行うカードリーダライタが組み込まれており、例えば、利用者が紙幣などの金銭を投入すると、投入金額が書き込まれたＩＣカードが発行されるようになっている。
【発明の開示】
【発明が解決しようとする課題】
【０００３】
ここで、遊技台用台間機は、遊技台の間の狭いスペースに配置されるので、設置スペースに余裕がない。したがって、そこに組み込まれるカードリーダライタも可能な限り、小型でコンパクトなものとすることが望ましい。そのためには、カード搬送機構などを省略して、手動操作によってカードを挿入する形式のカードリーダライタを用いることが望ましい。
【０００４】
しかしながら、この場合においても、カード挿入口からカードが不用意に引き抜かれることの無いように、また、別のカードが挿入されないようにカード挿入口を封鎖するためのシャッタ機構や、挿入されたカードがガタ付くことの無い様に固定するためのストッパ機構などが必要である。したがって、カードリーダライタの小型・コンパクト化のためには、このような機構を、少ない部品点数でコンパクトに構成することが要求される。
【０００５】
本発明の課題は、このような点に鑑みて、カード挿入口のシャッタ機構などを少ない部品点数でコンパクトに構成可能なカードリーダライタを提案することにある。
【課題を解決するための手段】
【０００６】
上記の課題を解決するために、本発明のカードリーダライタは、
カード型記憶媒体を挿入するためのカード挿入口と、
前記カード挿入口に接近した前端位置および当該カード挿入口から離れた後端位置の間をスライド可能なカードホルダと、
前記カード挿入口を封鎖した封鎖位置および当該カード挿入口から退避した退避位置の間を移動可能なシャッタと、
前記カードホルダの前記後端位置へのスライドに連動させて前記シャッタを前記封鎖位置に移動させ、前記カードホルダの前記前端位置へのスライドに連動させて前記シャッタを前記退避位置に移動させるカム機構とを有し、
前記カードホルダは前記挿入口から挿入されるカード型記憶媒体に押されて前記後端位置まで移動するようになっていることを特徴としている。
【０００７】
ここで、前記カム機構は、前記カードホルダに形成したカム溝と、当該カム溝に沿ってスライド可能な状態で差し込まれている前記シャッタに形成したカムフォロワとを備えていることを特徴としている。カム溝をシャッタの側に形成し、カムフォロワをカードホルダに形成することも可能である。
【０００８】
本発明では、カードホルダのスライドをカム機構によってシャッタの開閉運動に変換している。カム機構のカム溝をカードホルダに形成し、カムフォロワをシャッタに形成すればよいので、リンク機構などを用いる場合とは異なり、カードホルダおよびシャッタ以外の部品を追加して、シャッタの駆動機構を構成する必要がない。よって、カードリーダライタの小型化、コンパクト化に有利である。
【０００９】
また、本発明のカードリーダライタは、挿入されたカード状記憶媒体の外周端面部分に面接触状態で当接可能なカード押し付け面を備え、当該カード押し付け面が平行移動するように支持されているカードストッパと、前記カード押し付け面にカード押し付け力を付与しているストッパ付勢部材とを有していることを特徴としている。
【００１０】
本発明のストッパを用いれば、平行移動可能なカード押し付け面によって、面接触状態で挿入されたカード状記憶媒体を固定できる。したがって、爪などを用いてカード状記憶媒体を固定する場合とは異なり、挿入されたカード状記憶媒体をガタ付きなく確実に固定できる。
【００１１】
次に、本発明のカードリーダライタは、前記カードホルダを前記前端位置に向けて付勢しているホルダ付勢部材と、前記カードホルダを前記後端位置にロックするためのホルダロック部材と、前記ホルダロック部材をロック位置およびロック解除位置に移動する駆動機構とを有していることを特徴としている。
【発明の効果】
【００１２】
本発明のカードリーダライタでは、カード状記憶媒体が挿入された後にカード挿入口を封鎖するシャッタの駆動機構をカム機構を用いることにより、別部材を必要とすることなく、コンパクトに構成してある。よって、カードリーダライタの小型・コンパクト化に有利であり、特に、設置スペースに余裕のない遊技台用台間機などに用いるのに適したカードリーダライタを実現できる。
【発明を実施するための最良の形態】
【００１３】
以下に、図面を参照して、本発明を適用したカードリーダライタが内蔵されている遊技台用台間機の一例を説明する。
【００１４】
(全体構成)
図１は遊技台用台間機の分解斜視図であり、本例の遊技台用台間機は、会員遊技者用のＩＣカードと一般遊技者(ビジター)用のＩＣコインを用いたプリペイド方式により遊技媒体の貸し出し処理を行うことができるものである。図２(ａ)は遊技台用台間機の側面図であり、図２(ｂ)はＡ方向から見た場合の部分矢視図である。また、図３は、遊技台用台間機に搭載されている処理装置の六面図である。
【００１５】
図１、２に示すように、遊技台用台間機１は、遊技店の遊技島に配列されている遊技台(図示せず)の間の縦長の狭い隙間に、前向きの垂直姿勢で遊技島枠(図示せず)に取り付けられる台間機ホルダ２と、この台間機ホルダ２に対して前方から着脱可能な状態で装着される台間機本体３とから構成されている。
【００１６】
台間機本体３は、全体として縦長の扁平な直方体形状のシャーシ４を備えており、このシャーシ４には、その上側から紙幣識別機５、制御ボックス６および電源ボックス７がこの順序に取り付けられている。シャーシ４の前面には前面パネル８が取り付けられており、当該前面パネル８には上側から、多機能ランプ８ａ、紙幣入口８ｂ、ＩＣカードやＩＣコインの残高などを表示するための表示部８ｃ、会員が再プレイする際に暗証番号などを入力するために用いるテンキー８ｄ、ＩＣコインを投入するコイン投入口８ｅ、ＩＣコインを排出するコイン出口８ｆがこの順序で配置されており、コイン出口８ｆの隣接位置にはＩＣカード挿入口８ｇが配置されている。
【００１７】
制御ボックス６には、図１、３に示す処理装置１０が組み込まれている。処理装置１０は、ＩＣコインの発行、返却、回収および情報のリードライトを行う扁平なコイン処理ユニット２０と、このコイン処理ユニット２０の側面に形成した水平な矩形の凹部２１に組み付けられているＩＣカードのリードライトを行うカードリーダライタ１００とを備えている。図２から分かるように、コイン処理ユニット２０の背面の上半部分には上下にガイド穴１４ａ、１４ｂが形成されており、これらの間には通信用の本体側コネクタ１５が後ろ向きに配置されている。
【００１８】
一方、台間機ホルダ２は、図１、２に示すように、縦枠２ａと、その上下の端から直角に折れ曲がって前方に延びている上下のガイド板２ｂ、２ｃとを備えている。縦枠２ａには外部通信用の中継基板１６が取り付けられている。中継基板１６には上下一対のガイドピン１７ａ、１７ｂが前方に突出しており、これらの間には通信用のホルダ側コネクタ１８が前向きに取り付けられている。本例では、取付板１９によって、中継基板１６が上下方向に僅かにスライド可能な状態で、縦枠２ａに取り付けられている。
【００１９】
台間機ホルダ２の上下のガイド板２ｂ、２ｃの間に台間機本体３を位置決めして、これらのガイド板２ｂ、２ｃに沿って台間機本体３を押し込むと、先細り形状のガイドピン１７ａ、１７ｂの先端部がガイド穴１４ａ、１４ｂに差し込まれ、この後は、台間機本体３の差込動作によって、本体側コネクタ１５がホルダ側コネクタ１８に自動的に位置決めされる。本例では、中継基板１６の側が上下にスライド可能であるので、中継基板１６に搭載されているホルダ側コネクタ１８が上下にスライドして、双方が自動的に位置決めされる。よって、台間機本体３を台間機ホルダ２に差し込むと、本体側コネクタ１５がホルダ側コネクタ１８に差し込まれて接続された状態が自動的に形成される。
【００２０】
(コイン処理ユニット)
図４はコイン処理ユニット２０の内部構造を示す説明図であり、以下に、図３および図４を参照してコイン処理ユニット２０の構成を説明する。コイン処理ユニット２０は、扁平なユニットケース２３を備えており、その前面２３ａには、遊技台用台間機１の前面パネル８のコイン投入口８ｅおよびコイン出口８ｆにそれぞれ連通するコイン入口２４およびコイン出口２５が形成されている。ユニットケース側面にはカードリーダライタ５０を組み付けるための凹部２１が形成されており、ここに、カードリーダライタ５０が装着されている。
【００２１】
ユニットケース２３の内部には、コイン入口２４から投入されたＩＣコインＣａを案内するためのコイン入口通路２６が形成されている。コイン入口通路２６は１枚のＩＣコインが立った状態で通過可能な大きさのものであり、コイン入口２４から後方に向かって僅かに下方に傾斜している部分と、この先から下方に湾曲して大きく傾斜している部分とを備え、ＩＣコインが自重によってその通路底面２６ａに沿って滑落可能となっている。
【００２２】
コイン入口通路２６の下端開口部２６ｂは下方に向いており、この真下には、コイン搬送ローター２７が支軸２８を中心として回転自在の状態で配置されている。コイン搬送ローター２７は、円形のローター表面に１２０度間隔で３枚の腕２７ａが放射状に形成されており、これらの腕２７ａの厚さはＩＣコインとほぼ同一厚さであり、各腕２７ａの間に、１枚のＩＣコインを受け入れ可能なポケット２７(１)、２７(２)、２７(３)が形成されている。
【００２３】
コイン入口通路２６の通路底面２６ａの下端に連続して、支軸２８を中心とする円弧状のコインガイド用内周面２９が形成されている。ポケット２７(１)〜２７(３)に受け入れられたＩＣコインは、コイン搬送ローター２７が回転すると、ポケット２７(１)〜２７(３)に入った状態で当該コインガイド用内周面２９に沿って搬送される。
【００２４】
次に、コイン出口２５にはコイン出口通路３０が連通しており、このコイン出口通路３０はコイン出口２５に向けて下方に傾斜した通路であり、ＩＣコインが自重によって滑落してコイン出口２５から排出可能となっている。このコイン出口通路３０はコインガイド用内周面２９に形成した開口部３０ａに連通している。この開口部３０ａは、コイン入口通路２６の下端開口部２６ｂの直下の位置(第１回転位置Ａ)からポケット２７(１)〜２７(３)が６０度回転した位置(第２回転位置Ｂ)に形成されている。
【００２５】
一方、コイン搬送ローター２７の後側にはコイン収納部３１が配置されている。コイン収納部３１は、ＩＣコイン１枚分を通すことのできる通路から形成されており、ＩＣコインを立てた状態で下端開口部３１ａから送り込むようになっている。本例のコイン収納部３１は最大で９枚のＩＣコインを収納可能であり、上下方向に直線状に延びる垂直収納通路部分３１ｂと、この下側に連続して後方に湾曲して再び前方に戻る湾曲収納通路部分３１ｃと、この下側に連続して下端開口部３１ａに至る傾斜収納通路部分３１ｄとを備えている。傾斜収納通路部分３１ｄにおける傾斜角度θは、ここに収納されるＩＣコインが自重によって下端開口部３１ａまで滑落可能な角度に設定されている。通常は１０度〜３０度の範囲内とすればよい。本例では、この角度θがほぼ２０度とされている。
【００２６】
ここで、コイン収納部３１の下端開口部３１ａは、コイン入口通路２６の下端開口部２６ｂの直下の位置(第１回転位置Ａ)からポケット２７(１)〜２７(３)が２４０度回転した位置(第３回転位置Ｃ)に対峙する位置に開口している。この位置においては、コイン収納部３１の湾曲収納通路部分３１ｃを規定している下側の端面３１ｅがそのまま直線状に延びてコインガイド用内周面２９に連続している。
【００２７】
このように、本例のコイン処理ユニット２０のコイン収納部３１は、湾曲収納通路部分３１ｃおよび傾斜収納通路部分３１ｄを備えており、傾斜収納通路部分３１ｄからコイン搬送ローター２７の第３回転位置Ｃに位置しているポケット２７(１)〜２７(３)にＩＣコインをその自重によって送り込むようになっている。すなわち、ＩＣコインは、コイン搬送ローター２７の上側からではなく、その回転中心(支軸２８)よりも低い横方から、傾斜路に沿って送り込まれる。したがって、コイン収納部３１に収納されているＩＣコインの全荷重がコイン搬送ローター２７に作用することがなく、コイン搬送ローター２７の負荷を大幅に軽減できる。
【００２８】
次に、コイン入口２４に連通しているコイン入口通路２６の部位にはコイン入口シャッタ３２が配置されている。コイン入口シャッタ３２はＩＣコインおよびＩＣカードが投入されていない状態ではコイン入口通路２６から退避しているが、これらが投入されるとコイン入口通路２６内に突出して当該通路を遮断し、コイン入口２４からＩＣコインの投入ができないようにするためのものである。このコイン入口シャッタ３２はソレノイド３３によって駆動される。
【００２９】
コイン出口２５に連通しているコイン出口通路３０にも、ここを開閉するためのコイン出口シャッタ３４が配置されている。コイン出口シャッタ３４がコイン出口通路３０を遮断した状態においては、コインガイド用内周面２９の一部が当該シャッタによって形成された状態になる。
【００３０】
コイン出口通路３０の開口部３０ａの下端近傍には、ポケット２７(１)〜２７(３)からコイン出口通路３０にＩＣコインを導くためのコイン出口補助通路片３５が配置されている。このコイン出口補助通路片３５は、コイン出口シャッタ３４がコイン出口通路３０内に突出して当該通路を遮断すると、コイン出口通路３０から退避し、コイン出口シャッタ３４がコイン出口通路３０を開放すると、コイン出口通路３０内に突出してＩＣコインをコイン出口通路側に案内する。これらコイン出口シャッタ３４およびコイン出口補助通路片３５は、共通のソレノイド３６によって駆動される。
【００３１】
次に、コイン搬送ローター２７は、そこに同心状に取り付けたメインギヤ３７、このメインギヤ３７に噛み合っているウォームホイール３８、このウォームホイール３８に噛み合っているウォーム３９および当該ウォーム３９が出力軸に固着されている駆動モータ４０を備えた駆動機構によって駆動される。メインギヤ３７の回転位置はメインギヤセンサ４１によって検出され、これに基づき、コイン搬送ローター２７の回転位置、すなわち、各ポケット２７(１)〜２７(３)の回転位置が制御される。
【００３２】
ここで、本例のコイン処理ユニット２０では、次のように、ＩＣコインを検知するためのコインセンサが配置されている。まず、コイン入口通路２６におけるコイン入口２４の近傍位置にコイン入口センサ４２が取り付けられており、コイン入口センサ４２によって投入ＩＣコインが検出される。コイン出口通路３０におけるコイン出口２５の近傍位置にはコイン出口センサ４３が配置されており、これにより排出されるＩＣコインが検出される。また、コイン搬送ローター２７の各ポケット２７(１)〜２７(３)の第１回転位置Ａには、コイン検知センサ４４が配置されている。このコイン検知センサ４４によって、第１回転位置Ａに位置しているポケットにＩＣコインが受け入れられているか否かが検出される。
【００３３】
さらに、コイン収納部３１には２箇所にコイン収納センサ４５、４６が配置されている。コイン収納センサ４５はコイン収納部３１の下端開口部３１ａの近傍に配置されており、当該コイン収納部３１の最も下の位置に収納されているＩＣコインを検出するためのものである。コイン収納センサ４６は、湾曲収納通路部分３１ｃの上端側に配置されており、コイン収納部３１に収納されている下から４枚目のＩＣコインを検出するためのものである。
【００３４】
一方、ポケット２７(１)〜２７(３)の第１回転位置Ａは、ＩＣコインの記憶情報の読取および当該ＩＣコインに情報の書き込みを行う読み書き位置である。当該第１回転位置Ａの近傍位置には図において点線で示すように、情報読み書き用のアンテナ４７が配置されている。先に述べたように、コイン処理ユニット２０の側面に形成された凹部２１にはカードリーダライタ１００が組みつけられており、アンテナ４７は当該カードリーダライタ１００におけるＩＣカードの読み書き用のアンテナに兼用されている。
【００３５】
このように、コイン処理ユニット２０およびカードリーダライタ１００が情報読み書き用のアンテナ４７を共用しているので、各ユニットに専用のアンテナを配置する場合に比べて、コイン処理ユニット２０およびカードリーダライタ１００から構成される処理装置１０の小型化およびコンパクト化、ならびにコストの低減化に有利である。
【００３６】
ここで、本例のコイン処理ユニット２０のユニットケース２３には、図３に示すように、コインジャム解除カバー２２が着脱可能な状態で取り付けられている。このコインジャム解除カバー２２を取り外すと、コイン搬送ローター２７の各ポケット２７(１)〜２７(３)の移動経路が開放状態になる。したがって、コイン処理ユニット２０内においてコイン詰まりなどが生じた場合に、このカバー２２を取り外して、正常状態に復帰させることができる。
【００３７】
(駆動制御系)
図５は、本例の遊技台用台間機１の駆動制御系を示す概略ブロック図である。駆動制御系は、制御ボックス６に搭載されているメイン制御部６１を備え、ここに記憶保持されている制御プログラムを実行することにより遊技媒体の貸し出し処理などの各種の制御を行う。メイン制御部６１にはメモリ６２が接続されていると共に、インタフェース６３を介して、多機能ランプ８ａ、表示部８ｃ、テンキー８ｄ、紙幣識別機５などに接続されている。また、メイン制御部６１にはユニット駆動制御部６４が接続されている。ユニット駆動制御部６４は、コイン処理ユニット２０およびカードリーダライタ１００を備えた処理装置１０を駆動制御するものであり、インタフェース６５を介して、各センサ４１〜４６、ソレノイド３３、３６、駆動モータ４０などに接続されている。また、後述のカードリーダライタ１００のソレノイド１３２、センサ１３３、１５６(図７参照)などに接続されている。メイン制御部６１は、コネクタ１５、１８を介して中継基板１６に接続されており、中継基板１６は通信回線を介して、隣接する遊技台の制御部６６、管理コンピュータ６７などに接続されている。
【００３８】
メイン制御部６１の制御の下で、ユニット駆動制御部６４は入力指令、センサ入力などに基づき、コイン処理ユニット２０およびカードリーダライタ１００の各部を駆動制御して、ＩＣコインの発行、返却、回収、情報の読み書きなどの処理動作と、ＩＣカードの情報の読み書きなどの処理動作を行う。
【００３９】
(コイン処理ユニットの概略動作)
図６を参照してコイン処理ユニット２０の処理動作の概要を説明する。状態Ｓ１は一般的なコイン処理ユニット２０の状態を示してあり、コイン収納部３１に複数枚のＩＣコインＣ１〜Ｃ４が収納されており、コイン搬送ローター２７は、ポケット２７(１)が第１回転位置Ａに位置してＩＣコインを受け入れ可能であり、ポケット２７(２)、２７(３)にはＩＣコインＣ５、Ｃ６が収納されており、ポケット２７(３)はコイン収納部３１の下端開口部３１ａに連通した第３回転位置Ｃに位置している。
【００４０】
この状態においてコイン入口２４からＩＣコインＣａが投入されると、投入されたＩＣコインＣａはコイン入口通路２６を自重によって滑落して、コイン搬送ローター２７のポケット２７(１)に受け入れられる。ＩＣコインＣａの投入がコイン入口センサ４２によって検出されると、コイン入口シャッタ３２が閉じる。ポケット２７(１)に入ったＩＣコインＣａはその隣接位置に配置されているアンテナ４７によって記憶情報が読み出される。プリペイド残高がある場合には遊技媒体の貸し出しが可能であり、貸し出し指令を受けると遊技台用台間機１によって遊技媒体の貸し出し処理が行われる。遊技媒体の貸し出し処理を行った後はプリペイド残高から貸し出し料を減算し、減算後の残高をＩＣコインＣａに書き込む。
【００４１】
遊技終了後などにＩＣコインＣａの返却指令が入力されると、プリペイド残高を確認し、残高が零の場合には、状態Ｓ２に示すように、ＩＣコインＣａを返却することなく、内部に回収する。すなわち、コイン搬送ローター２７を正方向(図６における時計回り)に１２０度回転させ、ＩＣコインＣａが収納されているポケット２７(１)を第１回転位置Ａから１２０度回転した位置に移動する。この回転により、ポケット２７(３)に収納されていたＩＣコインＣ５がコイン収納部３１に下側から送り込まれて、ポケット２７(３)は空の状態になる。
【００４２】
ＩＣコインＣａの残高が零でない場合には、返却指令が入力されると、状態Ｓ３に示すように、ＩＣコインＣａをコイン出口２５から返却する返却動作が行われる。この返却動作では、コイン出口シャッタ３４が開き、コイン出口補助通路片３５がコイン出口通路３０に突出状態とされ、コイン搬送ローター２７を正方向に６０度回転させ、ポケット２７(１)をコイン出口通路３０に連通した位置とする。この結果、ポケット２７(１)からＩＣコインＣａが自重により転がり出て、コイン出口補助通路片３５に案内されて、コイン出口通路３０を通って、コイン出口２５から返却される。
【００４３】
次に、状態Ｓ４において、紙幣が投入され、紙幣識別機によって入金額が検出されると、コイン搬送ローター２７を１２０度だけ逆回転させて、ポケット２７(２)を第１回転位置Ａまで戻し、Ｓ５の状態とする。この状態において、ポケット２７(２)に入っているＩＣコインＣ７に対して、アンテナ４７を用いて、入金金額の書き込みを行う。この後に、ＩＣコインの返却指令が入力されると、状態Ｓ３に移行して、ＩＣコインＣ７の発行動作を行う。
【００４４】
なお、図６における状態Ｓ６はＩＣコインの満杯状態を示し、本例では９枚のＩＣコインＣ１〜Ｃ９がコイン処理ユニット２０内に収納可能である。また、図６の状態Ｓ７はＩＣコイン無しの状態を示してある。
【００４５】
(カードリーダライタ)
次に、図７はカードリーダライタ１００を示す縦断面図、横断面図および、コイン処理ユニット２０のユニットケース凹部２１に重ねられている側の側面を示す側面図である。カードリーダライタ１００は扁平なケース１０１を備え、この内部に各構成部が組み付けられている。ケース１０１の前面１０３には、カード挿入口１０４が形成されており、このカード挿入口１０４は遊技台用台間機１の前面パネル８に形成されているカード挿入口に連通している。
【００４６】
ケース１０１の内部には、カード挿入口１０４から挿入されるＩＣカード１１０を受け入れ可能なカードホルダ１２０が配置されている。このカードホルダ１２０は、ケース１０１内を、前端位置から後端位置までの間で、前後方向にスライド可能である。すなわち、カードホルダ１２０は、ＩＣカード１１０を受け入れる本体板部分１２１と、この本体板部分１２１の後端に形成された直角に折れ曲がっているカード係合用の端板部分１２２と、本体板部分１２１の上端の前後に形成されたスライド突起１２３および１２４と、本体部分１２１の下端に形成したスライド突起１２５を備えている。ケース１０１には、スライド突起１２３、１２４をガイドするスライド溝１０５、１０６および１０７が形成されている。
【００４７】
カードホルダ１２０とケース１０１の間には、前後方向に水平に延びる引張りコイルばね１２６が架け渡されている。カード挿入口１０４からＩＣカード１１０を挿入すると、引張りコイルばね１２６を伸長させながらカードホルダ１２０を後方に押し込むことができる。
【００４８】
カードホルダ１２０の後方には、カードホルダ１２０をケース後端側の位置にロックするためのホルダロック機構１３０が組み込まれている。ホルダロック機構１３０は、後端部を中心として上下方向に旋回可能なホルダロックアーム１３１(ホルダロック部材)と、このホルダロックアーム１３１を上下に旋回させるためのソレノイド１３２(駆動機構)と、カードホルダ１２０の側に形成されたアーム係合爪１２７を備えている。
【００４９】
ホルダロックアーム１３１はソレノイド１３２の復帰ばね力によって、アーム係合爪１２７の上端面１２７ａに押し付けられた状態にある。カードホルダ１２０が後方に押し込まれると、ホルダロックアーム１３１の先端のフック１３１ａがアーム係合爪１２７の上端面１２７ａから前側に落ち込み、当該アーム係合爪１２７に前方から係合した状態になり、カードホルダ１２０の前方への移動が阻止されたロック状態になる。ソレノイド１３２を励磁すると、ホルダロックアーム１３１が上方に旋回して、ロック状態が解除される。この結果、カードホルダ１２０は引張りコイルばね１２６のばね力によって前方位置に復帰する。
【００５０】
カード挿入口１０４の下端の側方位置にはシャッタ１４０が配置されている。シャッタ１４０は、ケース１０１に垂直に取り付けた支軸１４１を中心として左右に旋回可能な状態で支持されている。シャッタ１４０の前端部分はカード挿入口１０４の側に湾曲している遮蔽爪１４２となっており、支軸１４１の後側の部位にはカムフォロワであるスライドピン１４３が形成されている。
【００５１】
このスライドピン１４３がスライド可能な状態で差し込まれているカム溝１４４が、カードホルダ１２０の側に形成されている。カム溝１４４は、全体として前後方向に延びているが、その前端側の部分がカード挿入口１０４から離れる方向に折れ曲がっている。カードホルダ１２０が後方位置の近傍まで押し込まれる間は、シャッタ１４０のスライドピン１４３がカム溝１４４の前後方向に延びる溝部分をスライドする。
【００５２】
しかるに、カードホルダ１２０が後端位置の近傍から後端位置に至る間においては、スライドピン１４３がカム溝１４４の折れ曲がっている前端部分をスライドする。この結果、シャッタ１４０の後端部分がカード挿入口１０４から離れる方向に移動させられるので、シャッタ１４０は支軸１４１を中心として、その前端側の遮蔽爪１４２が内側に旋回して、カード挿入口１０４が封鎖された状態になり、カードの挿入ができなくなる。
【００５３】
このように、カードホルダ１２０の形成したカム溝１４４と、シャッタ１４０に形成したスライドピン１４３からなるカム機構によって、カードホルダ１２０のスライドに連動させてシャッタ１４０が開閉するようになっている。
【００５４】
一方、カードホルダ１２０の上端部分は、前後のスライド突起１２３、１２４の間が開放状態となっており、この部分には、カードストッパ１５０が配置されている。カードストッパ１５０は上下方向にスライド可能な状態でケース１０１に取り付けられており、ケース１０１と当該カードストッパ１５０の間に上下方向に架け渡した引張りコイルばね１５１によって常に下方に付勢されている。本例では、ケース１０１に前後一対の傾斜ガイド溝１０８、１０９が形成され、カードストッパ１５０の前後の部位に形成されたスライドピン１５２、１５３がこれらの傾斜ガイド溝１０８、１０９に沿ってスライド可能な状態で差し込まれている。
【００５５】
カードストッパ１５０は、水平なカード押し付け面１５４を備え、このカード押し付け面１５４の前端からは前方に向けて上方に傾斜した傾斜ガイド面１５５が連続している。この傾斜ガイド面１５５にカード挿入口１０４から挿入されたＩＣカード１１０の上端角部が当たるようになっている。挿入されたＩＣカード１１０によってカードストッパ１５０が押し上げられると、そのカード押し付け面１５４がＩＣカード１１０の上側の側面に押し付けられた状態が形成される。これにより、挿入されたＩＣカード１１０がガタ付きなく固定された状態が形成される。
【００５６】
なお、ホルダロックアーム１３１の近傍位置にはロック状態になったことを検出するためのロックセンサ１３３が配置されている。カードストッパ１５０の近傍にはＩＣカードが挿入されている否かを検出するためのカードセンサ１５６が配置されている。
【００５７】
次に、図８ないし図１１を参照して、このように構成した本例のカードリーダライタ１００におけるカード挿入時の各部の動作をカード挿入動作にしたがって説明する。まず、図８に示すように、カード挿入口１０４にＩＣカード１１０を挿入していくと、ＩＣカード１１０の挿入側の先端上側の角がカードストッパ１５０の傾斜ガイド面１５５に当たる。この後は、カードストッパ１５０を押し上げながらＩＣカード１１０が挿入される。
【００５８】
カードストッパ１５０が押し上げられ、そのカード押し付け面１５４によってＩＣカード１１０の上側の側面が押し付けられた状態が形成され、更にＩＣカード１１０を挿入すると、図９に示すように、ＩＣカード１１０の前端がカードホルダ１２０の端板部分１２２に当たる。図９において斜線で示す部分がカードホルダ１２０である。この後は、ＩＣカード１１０を押し込むと、当該ＩＣカード１１０がカードホルダ１２０と共に後方に押し込まれる。
【００５９】
ＩＣカード１１０と共にカードホルダ１２０が後方に押し込まれて、その後端位置の近傍に至ると、図１０に示す状態になる。すなわち、ホルダロックアーム１３１がカードホルダ１２０の係合爪１２７に前側から係合する状態になる。また、カード挿入口１０４の側では、シャッタ１４０の旋回が始まり、その先端の遮蔽爪１４２がカード挿入口１０４の側に移動し始める。
【００６０】
ＩＣカード１１０を完全に押し込むと、図１１に示すように、ホルダロックアーム１３１がカードホルダ１２０の係合爪１２７に前側から係合して、カードホルダ１２０のロック状態が形成され、ＩＣカード１１０は挿入された位置に保持される。この状態では、ＩＣカード１１０はカードストッパ１５０によって押し付けられているのでガタ付きなく定まった位置に保持される。また、シャッタ１４０が旋回して、カード挿入口１０４を遮蔽する。よって、ＩＣカード１１０が挿入されている状態で別のカードがカード挿入口１０４から押し込まれるという弊害を防止できる。
【００６１】
このようにしてＩＣカード１１０が挿入された状態で、兼用アンテナ４７(図４参照)を用いてＩＣカード１１０に埋め込まれている非接触型ＩＣチップに対する記憶情報の読み出し、および情報の書き込みが行われる。カード返却指令があると、ソレノイド１３２が励磁され、ホルダロックアーム１３１が上方に押し上げられ、カードホルダ１２０のロックが解除される。すると、引張りコイルばね１２６のばね力によって、ＩＣカード１１０が保持されているカードホルダ１２０が前方位置まで押し出される。また、カードホルダ１２０の移動によって、シャッタ１４０が開くので、カードホルダ１２０に保持されているＩＣカード１１０の返却動作に支障を来たすことがない。このように、カード挿入時とは逆の動作が行われて、すなわち、図１１から図１０、図９の状態を経て、図８に示す状態に戻り、ＩＣカード１１０の後端部がカード挿入口１０４から突出した状態に戻る。
【００６２】
本例のカードリーダライタ１００では、カードストッパ１５０が上下方向に平行移動し、その水平なカード押し付け面１５４によってＩＣカード１１０の上側に面している外周端面部分を押し付けるようになっている。したがって、挿入されたＩＣカード１１０をガタ付きなく固定することができる。
【００６３】
また、本例では、カードホルダ１２０に前端部分が折れ曲がったカム溝１４４を形成し、ここにシャッタ１４０のスライドピン１４３(カムフォロワ)を差し込み、カードホルダ１２０のスライドを利用してシャッタ１４０を移動させて、カード挿入口１０４を開閉できるようにしている。したがって、複数のリンク部材を用いてシャッタ１４０の開閉機構を構成する必要がなく、小型でコンパクトにシャッタの駆動機構を構成できる。
【００６４】
よって、本例のカードリーダライタ１００は小型でコンパクトに構成でき、特に、設置スペースに余裕の無い遊技台用台間機に用いるのに適している。
【図面の簡単な説明】
【００６５】
【図１】本発明を適用した遊技台用台間機の分解斜視図である。
【図２】図１の遊技台用台間機の側面図、およびその矢印Ａの方向から見た部分矢視図である。
【図３】図１の遊技台用台間機に組み込まれている処理装置を示す側面図、平面図、底面図、裏面図、正面図および側面図である。
【図４】図１の遊技台用台間機に組み込まれているコイン処理ユニットの内部構造を示す説明図である。
【図５】図１の遊技台用台間機の駆動制御系を示す概略ブロック図である。
【図６】図４のコイン処理ユニットの主要動作を示す説明図である。
【図７】図１の遊技台用台間機に組み込まれているカードリーダライタを示す縦断面図、横断面図および側面図である。
【図８】図７のカードリーダライタの動作説明図である。
【図９】図７のカードリーダライタの動作説明図である。
【図１０】図７のカードリーダライタの動作説明図である。
【図１１】図７のカードリーダライタの動作説明図である。
【符号の説明】
【００６６】
１  遊技台用台間機
２  台間機ホルダ
３  台間機本体
６  制御ボックス
１０  処理装置
２０  コイン処理ユニット
２１  凹部
２２  コインジャム解除カバー
２３  ケース
２４  コイン入口
２５  コイン出口
２６  コイン入口通路
２６ｂ  下端開口部
２７  コイン搬送ローター
２７(１)〜２７(３)  ポケット
２７ａ  腕
Ａ  第１回転位置
Ｂ  第２回転位置
Ｃ  第３回転位置
４７  アンテナ
６１  メイン制御部
６２  メモリ
６３、６５  インタフェース
６４  ユニット駆動制御部
Ｃ１〜Ｃ９、Ｃａ  ＩＣコイン
１００  カードリーダライタ
１０１  ケース
１０４  カード挿入口
１０５、１０６、１０７  スライド溝
１０８、１０９  傾斜ガイド溝
１１０  ＩＣカード
１２０  カードホルダ
１２１  本体板部分
１２２  端板部分
１２３、１２４、１２５  スライド突起
１２６  引張りコイルばね
１２７  係合爪
１３０  ホルダロック機構
１３１  ホルダロックアーム
１３２  ソレノイド
１４０  シャッタ
１４１  支軸
１４２  遮蔽爪
１４３  スライドピン(カムフォロワ)
１４４  カム溝
１５０  カードストッパ
１５１  引張りコイルばね
１５２、１５３  スライドピン
１５４  カード押し付け面
１５５  傾斜ガイド面
【図１】
2007080101.tif 000003
【図２】
2007080101.tif 000004
【図３】
2007080101.tif 000005
【図４】
2007080101.tif 000006
【図５】
2007080101.tif 000007
【図６】
2007080101.tif 000008
【図７】
2007080101.tif 000009
【図８】
2007080101.tif 000010
【図９】
2007080101.tif 000011
【図１０】
2007080101.tif 000012
【図１１】
2007080101.tif 000013